(57)【特許請求の範囲】
【請求項１】
多チャンネルを含む広帯域信号を、送信機と受信アンテナを有する受信機との間で複数の経路を介して送受信可能な無線送受信方法において、
マルチパスによって広帯域信号が重畳されていない非重畳経路を選択する無線送受信方法であって、
広帯域信号の周波数外の互いに異なる周波数を有し、同じ信号強度を有する複数の基準信号を上記広帯域信号に挿入して送信する送信工程と、
これら複数の基準信号を上記複数の経路を介して受信し、基準信号間の受信強度差の小さい経路を非重畳経路として選択する第１選択工程とを含むことを特徴とする無線送受信方法。
【請求項２】
多チャンネルを含む広帯域信号を、送信機と受信アンテナを有する受信機との間で複数の経路を介して送受信可能な無線送受信方法において、
マルチパスによって広帯域信号が重畳されていない非重畳経路を選択する無線送受信方法であって、
周波数スイープして得られた、広帯域信号とは周波数の異なる一定信号強度の基準信号を上記広帯域信号に挿入して送信する送信工程と、
周波数スイープして得られた上記の基準信号を上記複数の経路を介して受信し、この基準信号内での受信強度差の小さい経路を非重畳経路として選択する第１選択工程とを含むことを特徴とする無線送受信方法。
【請求項３】
多チャンネルを含む広帯域信号を、送信機と受信アンテナを有する受信機との間で複数の経路を介して送受信可能な無線送受信方法において、
マルチパスによって広帯域信号が重畳されていない非重畳経路を選択する無線送受信方法であって、
広帯域信号の強度情報を含む、広帯域信号とは周波数の異なるスペクトル情報を、基準信号として前記広帯域信号に付加して送信する送信工程と、
基準信号としてのスペクトル情報を上記複数の経路を介して受信し、広帯域信号の受信強度分布と上記スペクトル情報との差の小さい経路を非重畳経路として選択する第１選択工程とを含むことを特徴とする無線送受信方法。
【請求項４】
前記広帯域信号がミリ波帯域信号であることを特徴とする請求項１〜３のいずれかに記載の無線送受信方法。
【請求項５】
上記第１選択工程で複数の非重畳経路が選択された場合、
これら複数の非重畳経路のうち、基準信号の受信強度が最大となる経路を選択する、第２選択工程を含むことを特徴とする請求項１〜３のいずれかに記載の無線送受信方法。
【請求項６】
受信開始時に、上記第１選択工程を実施して複数の非重畳経路を選択し、
その後、上記第２選択工程を一定時間おきに実施するように設定されていることを特徴とする請求項５に記載の無線送受信方法。
【請求項７】
前記受信アンテナが可動式の指向性アンテナであり、このアンテナの方向を変えることで、複数の経路から広帯域信号を受信することを特徴とする請求項１〜３のいずれかに記載の無線送受信方法。
【請求項８】
前記受信アンテナがフェーズアレイアンテナであり、このアンテナの指向性を変えることで、複数の経路から広帯域信号を受信することを特徴とする請求項１〜３のいずれかに記載の無線送受信方法。
【請求項９】
前記受信アンテナが互いに異なる方向を向いた複数の指向性アンテナからなり、受信に使用するアンテナを切り替えることで、複数の経路から広帯域信号を受信することを特徴とする請求項１〜３のいずれかに記載の無線送受信方法。
【請求項１０】
前記受信アンテナが互いに異なる位置に配された複数のアンテナからなり、受信に使用するアンテナを切り替えることで、複数の経路から広帯域信号を受信することを特徴とする請求項１〜３のいずれかに記載の無線送受信方法。
【請求項１１】
上記送信機によって、互いに異なる周波数を有する複数の広帯域信号を、互いに異なる方向から受信アンテナに送信することを特徴とする請求項１〜３のいずれかに記載の無線送受信方法。
【請求項１２】
前記送信機に備えられた複数の指向性アンテナによって広帯域信号を送信することを特徴とする請求項１〜３のいずれかに記載の無線送受信方法。
【請求項１３】
複数の送信機によって、あるいは、送信機および中継機によって、複数の経路で広帯域信号を送信することを特徴とする請求項１〜３のいずれかに記載の無線送受信方法。
【請求項１４】
多チャンネルを含む広帯域信号を、送信機と受信アンテナを有する受信機との間で複数の経路を介して送受信可能な無線送受信システムにおいて、
マルチパスによって広帯域信号が重畳されていない非重畳経路を選択する無線送受信システムであって、
上記送信機が、互いに異なる周波数を有し、同じ信号強度を有する複数の基準信号を上記広帯域信号に挿入して送信するように設定されており、
上記受信機が、これら複数の基準信号を上記複数の経路を介して受信し、基準信号間の受信強度差の小さい経路を非重畳経路として選択するように設定されていることを特徴とする無線送受信システム。
【請求項１５】
多チャンネルを含む広帯域信号を、送信機と受信アンテナを有する受信機との間で複数の経路を介して送受信可能な無線送受信システムにおいて、
マルチパスによって広帯域信号が重畳されていない非重畳経路を選択する無線送受信システムであって、
上記送信機が、周波数スイープして得られた一定信号強度の基準信号を上記広帯域信号に挿入して送信するように設定されており、
上記受信機が、周波数スイープして得られた上記の基準信号を上記複数の経路を介して受信し、この基準信号内での受信強度差の小さい経路を非重畳経路として選択するように設定されていることを特徴とする無線送受信システム。
【請求項１６】
多チャンネルを含む広帯域信号を、送信機と受信アンテナを有する受信機との間で複数の経路を介して送受信可能な無線送受信システムにおいて、
マルチパスによって広帯域信号が重畳されていない非重畳経路を選択する無線送受信システムであって、
上記送信機が、広帯域信号の強度情報を含む、広帯域信号とは周波数の異なるスペクトル情報を、基準信号として前記広帯域信号に付加して送信するように設定されており、
上記受信機が、基準信号としてのスペクトル情報を上記複数の経路を介して受信し、広帯域信号の受信強度分布と上記スペクトル情報との差の小さい経路を非重畳経路として選択するように設定されていることを特徴とする無線送受信システム。
【発明の詳細な説明】
【０００１】
【発明の属する技術分野】
本発明は、ＢＳ、ＣＳなどの広帯域信号の無線送受信方法に関し、特に、ミリ波を用いた屋内、構内での広帯域信号を無線送受信する方法に関する。
【０００２】
【従来の技術】
通常、移動体無線通信では、マルチパスによるフェージングの影響を避け安定した受信を行うために、ダイバーシチ受信が考案されており、さらに、複数チャンネルの受信のために、特開平５−２９９９５号公報に示されているように、チャネルの数だけ受信強度比較回路や、アンテナ切り替え回路を用いる方法が考案されている。
【０００３】
特開平５−２９９９５号公報に示されている多チャンネルの信号を含む多数の電波を一括受信する装置として、本明細書願では衛星放送など放送通信に適用した場合について説明する。図１１に従来技術の無線送受信装置を示す。
【０００４】
周波数軸上に各チャンネルが配置された多チャンネルの送信信号１００４が、送信アンテナ１００１から送信される。空間伝送におけるマルチパスによるフェージングの影響で、一部のチャンネルで著しく強度が低下するため、複数のアンテナ１００２、１００３で受信した場合、各チャンネルで強度の大きいアンテナを選択して受信を行う（ダイバーシチ受信）。たとえば、受信信号のチャンネル１００５では、チャンネル１００５の強度の大きいアンテナ１００３を、受信信号のチャンネル１００６ではチャンネル１００６の強度の大きいアンテナ１００２を独立して選択する。その結果、複数のチャンネルで安定した受信が可能である。
【０００５】
【発明が解決しようとする課題】
送信信号１００４の各チャンネルの情報がＴＶ映像信号であり、ブラウン管にマルチ画面で映像を表示するためには、その数だけのアンテナ１００２、１００３の選択回路が必要となることになる。裏番組だけを表示するならば２個、１６分割の画面で複数のチャンネルを表示させるためには１６個が必要になる。また、あるチャンネルがデジタル信号であり、あるチャンネルがアナログ信号であるように、チャンネル間において送信方式が異なる場合を考慮すると、各送信方式毎に対応したアンテナ切り替え回路が必要となり、非常に複雑なシステムとなる。
【０００６】
上記の方法では、チャネルの数だけのダイバーシチ回路が必要となることが避けられず、特開平５−２９９９５号公報においても、その回路を減らすために工夫をしているが、やはり、チャンネルの数だけの受信強度比較回路と、アンテナ切り替え回路が必要になっている。更に、このシステムの場合、ダイバーシチ回路は受信チャンネルを切り替えた場合にダイバーシチ回路も追随して、評価周波数を切り替える必要があり、受信システム全体がダイバーシチ回路専用のシステムである必要がある。
【０００７】
本発明の目的は、チャンネル数だけのダイバーシチ回路を必要とすることなく、多チャンネルを含む広帯域信号を受信できる無線送受信方法を提供することを、目的とする。
【０００８】
【課題を解決するための手段】
本発明の第１無線送受信方法は、多チャンネルを含む広帯域信号を送信機から受信アンテナを介して受信機に送受信する経路を複数有する無線送受信方法であって、マルチパスによって前記広帯域信号が重畳されていない経路を選択することを特徴する。
【０００９】
本発明の第２無線送受信方法は、前記広帯域信号がミリ波帯域信号であることを特徴とする。
【００１０】
本発明の第３無線送受信方法は、前記広帯域信号に複数の周波数上で同じ信号強度の基準信号を挿入して送信し、受信した複数の前記基準信号の信号強度差が小さい経路を選択することによって、前記マルチパスによって広帯域信号が重畳されていない経路を選択することを特徴とする。
【００１１】
本発明の第４無線送受信方法は、前記広帯域信号に一定信号強度の基準信号を周波数スイープして送信し、受信した前記基準信号のスイープ中の信号強度差が小さい経路を選択することによって、前記マルチパスによって広帯域信号が重畳されていない経路を選択することを特徴とする。
【００１２】
本発明の第５無線送受信方法は、前記広帯域信号と異なる周波数上に、信号帯域内のスペクトル情報を挿入して送信し、受信した広帯域信号の周波数分布と前記信号帯域内のスペクトル情報とを比較して前記広帯域信号の周波数分布と前記信号帯域内のスペクトル情報との差が小さい経路を選択することによって、前記マルチパスによって広帯域信号が重畳されていない経路を選択することを特徴とする。
【００１３】
また、本発明の第６無線送受信方法は、第３〜５無線送受信方法のいずれかの前記マルチパスによって広帯域信号が重畳されていない経路のうち、受信した前記基準信号の強度が大きい経路を選択することを特徴とする。
【００１４】
また、本発明の第７無線送受信方法は、送信開始時、又は受信開始時に前記基準信号を第３〜５無線送受信方法のいずれかで前記マルチパスによって広帯域信号の重畳していない経路を複数選択し、適宜広帯域信号と異なる周波数に基準信号を挿入することによって、受信された前記基準信号の強度の大きい経路を選択することを特徴とする。
【００１５】
また、本発明の第８無線送受信方法は、前記アンテナが可動式であり、第３〜７無線送受信方法のいずれかで前記アンテナの方向を選択することを特徴とする。
【００１６】
本発明の第９無線送受信方法は、前記アンテナがフェーズアレイアンテナであることを特徴とする。
【００１７】
本発明の第１０無線送受信方法は、前記アンテナの配置が角度ダイバーシチであることを特徴とする。
【００１８】
本発明の第１１無線送受信方法は、前記アンテナの配置が位置ダイバーシチであることを特徴とする。
【００１９】
本発明の第１２無線送受信方法は、前記アンテナの配置が周波数ダイバーシチであることを特徴とする。
【００２０】
また、本発明の第１３無線送受信方法は、前記送信機が指向性アンテナを備えていることを特徴とする。
【００２１】
本発明の第１４無線送受信方法は、前記送信機が複数あるいは中継器を備えていることを特徴とする。
【００２２】
【発明の実施の形態】
（実施例１）
図１に本発明に係る無線送受信方法の１実施例を示す。ここでは、ＢＳ、ＣＳ放送の全チャンネルを同時に送受信するシステムの例について説明する。
【００２３】
チャンネルの数が多いので全チャンネルをひとつの超広帯域信号（６０ＧＨｚ〜６１．５ＧＨｚ）１０５として示している。送信機では、ＢＳ、ＣＳ放送を受信し、一般の集合住宅で利用されているブロックコンバータを用い、約１〜１．５ＧＨｚのＩＦ周波数に変換したものを、ミリ波（６０〜６１．５ＧＨｚ）にアップコンバートして送信アンテナ１０１から超広帯域信号１０５を送信している。超広帯域信号１０５は、複数の受信アンテナ１０２、１０３、１０４で受信されている。
【００２４】
この時、本実施例では以下のような受信状況になっているものとする。受信アンテナ１０２ではマルチパスのため、一部の信号に著しい強度の低下を生じている受信信号１０６となっている。受信アンテナ１０３では送信アンテナからの直接波のみを受信して、各チャンネルに強度差が無い受信信号１０７となっている。受信アンテナ１０３では、反射波を受信しているため、受信強度は低いがマルチパスが無いため受信強度が著しく低いチャンネルがない受信信号１０８となっている。この場合、受信アンテナ１０３を選択することで良好な受信が可能となる。また、送受信アンテナ間を人が遮るなどして受信アンテナ１０３の受信感度が低下した場合（シャドウイング）に、受信アンテナ１０４に切り替えることで安定した受信が可能となる。具体的に受信アンテナ１０３、１０４を選択するための方法を次に述べる。
【００２５】
図２（ａ）に実施例１での最適な受信アンテナを選択するため方法について示す。超広帯域信号２０６とは別の周波数とした複数の信号強度の同じ基準信号２０５を送信アンテナ２０１から同時に送信する。受信した時の複数の基準信号の信号強度が異なる場合には、マルチパスのある経路と判断する。本実施例では、受信アンテナ２０２で受信された基準信号２０７の一部の信号強度に強度の小さいものを含む時には、一部の信号に著しい強度の低下が生じた受信信号２０８となっていることが分かる。従って、受信アンテナ２０２で受信した場合、複数の基準信号２０７のうち最低信号強度のものが受信感度を下回っていなくとも、実際の受信映像信号の全て周波数の中には大きく受信感度が低下しているチャンネルを含む受信信号２０８となるので、一定以上の差があるものはマルチパスを含む信号として排除する。
【００２６】
また、受信した複数の基準信号の信号強度の同じアンテナにおいては、基準信号の強度が大きい順に受信アンテナを選択する。本実施例では、受信アンテナ２０３、２０４の場合には、受信された基準信号２０９、２１１が同じであり、受信信号２１０、２１２ではマルチパスによる影響を受けていない。この場合には、受信した基準信号の信号強度の大きい受信アンテナ２０３を選択する。尚、受信アンテナ２０３への経路は、直接送信アンテナから受信アンテナに直接送受信された経路であるシングルパスとなる例であり、受信アンテナ２０４への経路は、送受信途中で反射された経路となった例である。
【００２７】
次に、図２（ｂ）では、図２（ａ）で説明した無線送受信方法に用いる受信装置の回路例を示す。受信アンテナ２３１で受信した信号は、ＲＦアンプ２３２で増幅され、ミキサ２３４に入り、ローカル発振器２３３からの周波数とミキシングされＩＦ周波数帯の信号となり、フィルター２３６によって基準信号が取り出され、基準信号比較回路２３７に入る。図２（ｂ）では３個のアンテナの例をあげており、同じ構成の回路が３個並列しており、各々、基準信号比較回路に入力されている。基準信号比較回路２３７では、基準信号に基づいて最も適したアンテナを選択し、スイッチ２３８をＯＮ、ＯＦＦする。ミキサー２３４からの出力はフィルター２３５にも入力され、フィルター２３５では広帯域信号が出力され、スイッチ２３８を通ってＩＦ信号出力端子２３９に出力される。ＩＦ信号出力端子には、通常のＢＳ、ＣＳ放送のＩＦ信号受像装置を接続すればどのチャンネルも受像装置のチャンネル選択のみで選択可能である。また、複数台の受像機を接続して、独立に別々のチャンネルを選択することも可能である。
【００２８】
本実施例では、受信アンテナを複数個備えることによって、その中から最適なアンテナを選び出すこととしたが、１つの受信アンテナを可動可能とし、その受信アンテナの最適な位置を決定するのに本発明の方法を用いても構わない。
【００２９】
（実施例２）
図３に、実施例１とは異なるアンテナ選択方法の例を示す。
超広帯域信号３０６とは別の周波数上で周波数スイープした基準信号３０５を送信アンテナ３０１から送信する。受信した基準信号の信号強度がスイープ中に変化した場合は、マルチパスのある経路と判断し、その経路に用いる受信アンテナを排除する。本実施例では受信アンテナ３０２で受信した基準信号のスイープ中に信号強度が変化しており、一定値を越える変化があるとして受信アンテナ３０２は排除される。ここで、一定値を越える変化とは、使用環境などによって使用者が適宜決定する値である。
【００３０】
また、受信した基準信号がスイープ中に変化しない場合には、基準信号強度の大きい経路を選択する。本実施例の場合には、受信アンテナ３０３で受信された基準信号３０９と受信アンテナ３０４で受信された基準信号３１１との信号強度を比較して、信号強度の大きい受信アンテナ３０３の経路を選択する。
【００３１】
また、基準信号の強度が変化しなかった経路において、基準信号の強度が大きい順にアンテナを選択する。従って、本実施例では、受信された基準信号強度の大きい受信アンテナ３０３の経路が選択される。
【００３２】
本実施例のように周波数スイープし、その変化に基づいて経路を選択する場合には、サンプリング周波数が実施例１の場合より多くできるので、マルチパスを見つけるのに非常に効果的である。
【００３３】
より確実にマルチパス経路を排除する方法について、図４に示す。図４では、信号周波数帯域４０１より周波数帯域の同じ若しくは広い周波数帯域で基準信号のスイープ４０２を行っている。信号周波数帯域４０１より広いスイープ４０２を行うことで確実にフェージングの有無をチェックすることができる。
【００３４】
（実施例３）
図５に、実施例１、２のような一定の基準信号とは異なり、実際の映像等の信号を使ってマルチパスの有無を調べる方法を示す。
【００３５】
実際の映像信号、音声信号などは異なる強度、帯域幅、そして、それらが時間的に変化しているので、その様子を簡略化して超広帯域信号５０７に示した。本実施例の超広帯域信号５０７では、ある帯域信号５０６（矢印の付された帯域信号）を含む３つの帯域からなっている。実際の超広帯域信号５０７とは別に帯域信号内のスペクトル情報５０５を付加し、送信アンテナ５０１から送信する。
【００３６】
ここで、信号帯域内のスペクトル情報５０５は、超広帯域信号５０７の強度情報を含んでおり、受信機で実際に受信した信号と、帯域信号内のスペクトル情報とを比べ、マルチパスの有無を調べることでマルチパスの有無を判別する。ここでは、帯域信号内のスペクトル情報５０５として、超広帯域信号５０７の信号強度を周波数軸上でスイープした信号をＡＭ変調して送信する例である。強度情報信号は現在のスイープ部分（帯域信号５０６）と同じ強度となるように送信される。
【００３７】
帯域信号内のスペクトル情報５０５と、実際の信号（帯域信号５０６）は異なる周波数なので受信アンテナ５０２のようにマルチパスがあると受信された帯域信号内のスペクトル情報５０５からの予想される各周波数での信号強度（点線）と実際の強度（実線）が異なる。受信アンテナ５０３、５０４では、シングルパスなのでスペクトル情報と、実際の信号（帯域信号５０６）は同じ強度となる。
【００３８】
この方法では実際のチャンネル周波数全体でのマルチパスの有無がチェックでき、しかも、比較用の信号帯域内のスペクトル情報を追加するだけでいいので、使用する周波数帯域がほとんど増加無く実現することができる。
【００３９】
当然、帯域信号内のスペクトル情報５０５だけでなく、周波数スイープの情報信号を入れてもよく、ＡＭ変調でなくとも可能である。ここで、ＡＭ変調を用いたのは、反射で信号強度が低下した場合（受信アンテナ５０４）でも強度信号情報も同様に強度が低下するので直接比較できるメリットがあるためである。この方法は、一定の基準信号で周波数スイープするのとは異なり、使用中の全周波数を常にチェックすることが可能である。
【００４０】
（実施例４）
本実施例では、本発明に係る実際の運用について説明する。最も簡単には、送信開始時、又は受信開始時、一度、周波数スイープでマルチパスの有無をチェックする。図６（ａ）に周波数スイープの状態を示す。この時に、最も適したアンテナを選択し、以後最も適したアンテナ使用する方法が可能である。図６（ｂ）には、広帯域信号を示す。この場合は、非常に受信状態のよい場所で、受信途中にシャドウイング、マルチパスの変化等が起こらない場合に有効である。ここでは、周波数スイープによる方法としたが、実施例３で示したスペクトル情報を用いても構わない。
【００４１】
また、人間の移動があり、シャドウイングがある場合は、図７のように送信開始時、又は受信開始時（図７（ａ）にこの時送信する周波数スイープを示す）に、一度、周波数スイープでマルチパスの有無をチェックし、適した複数のアンテナを選択する。以後、一定期間おきに先述した基準信号を用いて、基準信号６０４の強度の強いものを使用する方法が可能である。この様子を図７（ｂ）に示す。この場合には、受信信号６０１が受信できるようにアンテナを選択する。次に、図７（ｃ）の様に、シャドウイングで受信信号６０５の強度が低下したら、この時に信号強度の大きい基準信号６０８に基づいて、別の受信信号６０６が受信できるアンテナを使用する。図７に示すような運用を行う場合は、人間が主に電波の吸収体であり、反射がほとんど無視できるミリ波帯の通信に適している。
【００４２】
ミリ波通信の場合でも、ドア、窓、ブラインド、他、ミリ波を反射する大きな物が移動する場合は、マルチパスの新たな経路の発生が無視できなくなるので、それらのものに電波吸収体を取り付けるとよい。
【００４３】
この方法は、最初にマルチパスの評価をした後は、基準信号強度だけで評価するので構成が簡単にできる。上記の例では、周波数スイープでマルチパスの影響を評価したが、実施例１、３のような方法を用いてもよい。
【００４４】
本実施例では、送信開始時又は受信開始時にマルチパスのチェックを行うとしたが、使用環境によっては、本発明の送受信方法を設置したときのみマルチパスのチェックを行ってもよい。あるいは、利用者が受信状況から必要と感じたときに行ってもよい。
【００４５】
（実施例５）
実際のアンテナの配置、システムの構成例を示す。図８（ａ）は、送信開始時、又は受信開始時に指向性アンテナ方向を前述の方法で評価し、アンテナの方向を決定する例である。手動でアンテナ７１１方向を変え、良好なアンテナ方向７０１の場合に光、音等で知らせることで適切なアンテナ方向を選択する。当然、自動でアンテナを駆動させてもよい。
【００４６】
図８（ｂ）は、フェーズドアレイアンテナ７１２を使った同様の例である。可動部分が無いので非常に高速に方向を変化させることができる。
【００４７】
図８（ｃ）は、複数の指向性アンテナを前述の方法で評価し、実施例３、４の方法を用いて方向７０１、７０２、７０３、７０４を切り替えて利用する例である。角度ダイバーシチに相当するである。より好ましくは、個々のアンテナが図８（ａ）のように可動であり、好ましい方向を向いた上で相互に選択できるともっとも効率的である。
【００４８】
図８（ｄ）は、位置ダイバーシチでの同様の例である。ミリ波の場合はシャドウイング（主に人体による）で致命的な受信妨害を引き起こすので、図８（ｅ）のように角度ダイバーシチとの組み合わせが更にに効果的となる。なぜなら、送信機は比較的上方に複数配置してある場合が多く、基本的には直接波を選択受信することになるが、受信装置の両端にアンテナを設置すれば、ある程度の大きさの装置であれば、その複数箇所に配置したアンテナをすべて人体が覆う可能性が少ないからである。
【００４９】
図８（ｆ）は、周波数ダイバーシチでの同様の例である。周波数にゆとりがあれば、複数箇所（送信方向７０５、７０６）から異なる周波数で送信を行ったほうが送信機相互の干渉によるフェージングが減少するので非常に効果的である。この場合受信側では、複数のアンテナを同様に切り替えて受信するのも可能であるが、同じアンテナ７１３で受信し、周波数で、マルチパスが無く受信できる送信機（送信方向７０５）を選択することも可能である。
【００５０】
（実施例６）
図９は、送信機８０１がマルチビームの例である。受信機８０５では、送信アンテナ８０２からの電波を受信しているが、電波を反射する金属製のロッカーなど障害物８０６があり、マルチパスが生じる経路８０７（点線）を避けて（送信アンテナ８０３を障害物８０６の方向に向けない）送信することでより、安定したシステムの運用が可能である。更に、電波の障害物８０８を避けて、アンテナ８０４で送信することで見通し外の受信機８０９に送信することも可能である。この場合、指向性が無ければ、障害物８０８で多くのマルチパスの経路が発生し、受信機８０５の受信にも障害を与える可能性があるので、指向性であることが重要である。
【００５１】
（実施例７）
図１０では、複数の送信機を配置して異なった角度からの複数の経路、シャドウイングによる受信障害を積極的に回避している例を示す。ここでは、複数の送信機を置く代わりに、送信機９０１から、指向性アンテナ９０３を用いて中継器９０２に信号を送り、中継器９０２では送受信アンテナ９０４を用いて受信機に中継する。送信機９０１からの経路９０５と、中継器９０２からの経路９０６を積極的に構成している。これは、シャドウイングを避けた、通信の確実性を高めるのに非常に有効な方法であると共に、不本意なマルチパスによる受信障害の可能性も大きくなるため、本特許の方式で、マルチパスかどうかの評価を行なうことが非常に重要となる。
【００５２】
【発明の効果】
本特許の方法であれば、チャンネル毎のダイバーシチ回路が必要なく、処理後の信号から、普通の受信装置を用いて複数のチャンネルを選択し受信すること、或いは、複数の受信機を接続して別々のチャンネルを受信することが可能となる。
【００５３】
さらには、伝送信号の変調方式、チャンネル間隔、各チャンネルの帯域、その他の伝送方式の情報はダイバーシチ回路にとって必要ないので、複数の伝送方式の混合した信号であっても同時受信が可能となる。
【図面の簡単な説明】
【図１】本発明の実施例１の無線送受信方法を説明する図である。
【図２】本発明の実施例１の無線送受信方法における最適な送受信経路を選択する方法を説明する図である。
【図３】本発明の実施例２の無線送受信方法を説明する図である。
【図４】本発明の実施例２の送信する信号周波数帯域を示す図である。
【図５】本発明の実施例３の無線送受信方法を説明する図である。
【図６】本発明の実施例４の無線送受信方法を説明する図である。
【図７】本発明の実施例４の無線送受信方法を説明する図である。
【図８】本発明の実施例５の無線送受信方法を説明する図である。
【図９】本発明の実施例６の無線送受信方法を説明する図である。
【図１０】本発明の実施例７の無線送受信方法を説明する図である。
【図１１】従来の無線送受信方法を説明する図である。
【符号の説明】
１０１、２０１、３０１、５０１  送信アンテナ
１０２、１０３、１０４  受信アンテナ
２０２、２０３、２０４  受信アンテナ
３０２、３０３、３０４  受信アンテナ
５０２、５０３、５０４  受信アンテナ
１０５、２０６、３０６、５０７  超広帯域信号
１０６、１０７、１０８  受信信号
２０８、２１０、２１２  受信信号
３０８、３１０、３１２  受信信号
６０１、６０２、６０３、６０５、６０６、６０７  受信信号
２０５、３０５、６０４、６０８  基準信号
２０７、２０９、２１１、３０７、３０９、３１１、６０８  受信された基準信号
２３１  受信アンテナ
２３２  ＲＦアンプ
２３３  ローカル発振器
２３４  ミキサ
２３５、２３６  フィルタ
２３７  基準信号比較回路
２３８  スイッチ
２３９  ＩＦ信号出力端子
４０１  信号周波数帯域
４０２  スイープ
５０５  帯域信号内のスペクトル情報
５０６  帯域信号
５０８、５１０、５１２  受信された基準信号
５０９、５１１、５１３  受信された帯域信号
７０１、７０２、７０３、７０４  アンテナ方向
７１１、７１３  アンテナ
７１２  フェーズアレイアンテナ
７０５、７０６  送信方向
８０１  送信機
８０２、８０３、８０４  送信アンテナ
８０５  受信機
８０６、８０８  障害物
８０７  マルチパスが生じる経路
８０９  受信機
９０１  送信機
９０２  中継器
９０３  指向性アンテナ
９０４  送受信アンテナ
９０５、９０６  経路
【図１】
0003553383.tif 000002
【図２】
0003553383.tif 000003
【図３】
0003553383.tif 000004
【図４】
0003553383.tif 000005
【図５】
0003553383.tif 000006
【図６】
0003553383.tif 000007
【図７】
0003553383.tif 000008
【図８】
0003553383.tif 000009
【図９】
0003553383.tif 000010
【図１０】
0003553383.tif 000011
【図１１】
0003553383.tif 000012